【手続補正書】
【提出日】平成20年6月6日(2008.6.6)
【手続補正１】
【補正対象書類名】明細書
【補正対象項目名】発明の名称
【補正方法】変更
【補正の内容】
【発明の名称】焦点検出装置、カメラおよびイメージセンサシステム
【手続補正２】
【補正対象書類名】明細書
【補正対象項目名】特許請求の範囲
【補正方法】変更
【補正の内容】
【特許請求の範囲】
【請求項１】
光学系による撮影画面内に設定された複数の焦点検出領域に対応した被写体像を受光して画像信号を出力する光電変換素子と、
前記複数の焦点検出領域のいずれかを選択する領域選択手段と、
前記光電変換素子の出力に対する増幅率の履歴に基づいて、前記光電変換素子の出力に対する今回の増幅率を設定する増幅率設定手段と、
前記領域選択手段によって選択された焦点検出領域に対応する光電変換素子からの画像信号を、前記増幅率設定手段で設定された増幅率で増幅する増幅手段と、
前記増幅された画像信号に基づいて前記光学系の焦点調節に関する情報を演算する演算手段とを備え、
前記増幅率設定手段は、前記領域選択手段により前記焦点検出領域が切換えられたとき、前記増幅率の履歴をリセットして今回の増幅率を設定することを特徴とする焦点検出装置。
【請求項２】
請求項１に記載の焦点検出装置において、
前記光電変換素子は、前記画像信号を蓄積して出力するものであり、
前記増幅率設定手段は、前記領域選択手段によって選択された焦点検出領域に対応する光電変換素子の蓄積時間を制限時間として、前記領域選択手段によって選択されなかった焦点検出領域に対応する光電変換素子の出力に対する増幅率を設定することを特徴とする焦点検出装置。
【請求項３】
光学系による撮影画面内に設定された複数の焦点検出領域に対応した被写体像を受光して画像信号を出力する光電変換素子と、
前記複数の焦点検出領域のいずれかを選択する領域選択手段と、
前記光電変換素子の出力に対する増幅率の履歴に基づいて、前記光電変換素子の出力に対する今回の増幅率を設定する増幅率設定手段と、
前記領域選択手段によって選択された焦点検出領域に対応する光電変換素子からの画像信号を、前記増幅率設定手段で設定された増幅率で増幅する増幅手段と、
前記増幅された画像信号に基づいて前記光学系の焦点調節に関する情報を演算する演算手段と、
前記焦点調節の情報に基づいて前記光学系を駆動する通常駆動モードと、前記焦点調節の情報に基づいて被写体の移動速度を演算し、未来の被写体位置を予測して前記光学系を駆動する追尾モードと、焦点調節中に、前記焦点調節の情報に基づいて焦点検出が完了したか否かを判定し、完了していないと判定されたときに前記光学系をスキャン駆動するスキャンモードとの少なくとも３つのモードの間でモードを切換えるモード切換手段とを備え、
前記増幅率設定手段は、前記モード切換手段により前記モードが切換えられたとき、前記増幅率の履歴をリセットして今回の増幅率を設定することを特徴とする焦点検出装置。
【請求項４】
請求項３に記載の焦点検出装置において、
前記増幅率設定手段は、前記追尾モードと前記通常駆動モードとの間、および前記スキャンモードと前記通常駆動モードとの間の少なくとも一方でモードが切り替わるとき、前記履歴をリセットして今回の増幅率を設定することを特徴とする焦点検出装置。
【請求項５】
請求項３に記載の焦点検出装置において、
前記増幅率設定手段は、前記追尾モードと前記スキャンモードとの間でモードが切り替わるとき、前記履歴をリセットして今回の増幅率を設定することを特徴とする焦点検出装置。
【請求項６】
請求項１〜５のいずれかに記載の焦点検出装置において、
前記増幅率設定手段は、前記履歴をリセットして今回の増幅率を設定するとき、前回の増幅率よりも低い増幅率に設定することを特徴とする焦点検出装置。
【請求項７】
請求項１〜６のいずれかに記載の焦点検出装置を備えたことを特徴とするカメラ。
【請求項８】
被写体からの光束を受光して画像信号を出力するイメージセンサと、
前記イメージセンサの出力に対する増幅率の履歴に基づいて今回の増幅率を設定する増幅率設定手段と、
前記イメージセンサからの画像信号を、前記増幅率設定手段で設定された増幅率で増幅する増幅手段と、
前記イメージセンサの駆動モードを切換える駆動モード切換手段とを備え、
前記増幅率設定手段は、前記駆動モード切換手段により前記イメージセンサの駆動モードが切換えられたとき、前記増幅率の履歴をリセットして今回の増幅率を設定することを特徴とするイメージセンサシステム。
【請求項９】
請求項８に記載のイメージセンサシステムにおいて、
前記増幅率設定手段は、前記履歴をリセットして今回の増幅率を設定するとき、前回の増幅率よりも低い増幅率に設定することを特徴とするイメージセンサシステム。
【手続補正３】
【補正対象書類名】明細書
【補正対象項目名】００１６
【補正方法】変更
【補正の内容】
【００１６】
【課題を解決するための手段】
（１）請求項１の焦点検出装置は、光学系による撮影画面内に設定された複数の焦点検出領域に対応した被写体像を受光して画像信号を出力する光電変換素子と、複数の焦点検出領域のいずれかを選択する領域選択手段と、光電変換素子の出力に対する増幅率の履歴に基づいて、光電変換素子の出力に対する今回の増幅率を設定する増幅率設定手段と、領域選択手段によって選択された焦点検出領域に対応する光電変換素子からの画像信号を、増幅率設定手段で設定された増幅率で増幅する増幅手段と、増幅された画像信号に基づいて光学系の焦点調節に関する情報を演算する演算手段とを備え、増幅率設定手段は、領域選択手段により焦点検出領域が切換えられたとき、増幅率の履歴をリセットして今回の増幅率を設定することを特徴とする。
（２）請求項２の発明は、請求項１に記載の焦点検出装置において、光電変換素子は、画像信号を蓄積して出力するものであり、増幅率設定手段は、領域選択手段によって選択された焦点検出領域に対応する光電変換素子の蓄積時間を制限時間として、領域選択手段によって選択されなかった焦点検出領域に対応する光電変換素子の出力に対する増幅率を設定することを特徴とする。
（３）請求項３の焦点検出装置は、光学系による撮影画面内に設定された複数の焦点検出領域に対応した被写体像を受光して画像信号を出力する光電変換素子と、複数の焦点検出領域のいずれかを選択する領域選択手段と、光電変換素子の出力に対する増幅率の履歴に基づいて、光電変換素子の出力に対する今回の増幅率を設定する増幅率設定手段と、領域選択手段によって選択された焦点検出領域に対応する光電変換素子からの画像信号を、増幅率設定手段で設定された増幅率で増幅する増幅手段と、増幅された画像信号に基づいて光学系の焦点調節に関する情報を演算する演算手段と、焦点調節の情報に基づいて光学系を駆動する通常駆動モードと、焦点調節の情報に基づいて被写体の移動速度を演算し、未来の被写体位置を予測して光学系を駆動する追尾モードと、焦点調節中に、焦点調節の情報に基づいて焦点検出が完了したか否かを判定し、完了していないと判定されたときに光学系をスキャン駆動するスキャンモードとの少なくとも３つのモードの間でモードを切換えるモード切換手段とを備え、増幅率設定手段は、モード切換手段によりモードが切換えられたとき、増幅率の履歴をリセットして今回の増幅率を設定することを特徴とする。
（４）請求項４の発明は、請求項３に記載の焦点検出装置において、増幅率設定手段は、追尾モードと通常駆動モードとの間、およびスキャンモードと通常駆動モードとの間の少なくとも一方でモードが切り替わるとき、履歴をリセットして今回の増幅率を設定することを特徴とする。
（５）請求項５の発明は、請求項３に記載の焦点検出装置において、増幅率設定手段は、追尾モードとスキャンモードとの間でモードが切り替わるとき、履歴をリセットして今回の増幅率を設定することを特徴とする．
（６）請求項６の発明は、請求項１〜５のいずれかに記載の焦点検出装置において、増幅率設定手段は、履歴をリセットして今回の増幅率を設定するとき、の増幅率よりも低い増幅率に設定することを特徴とする。
（７）請求項７のカメラは、請求項１〜６のいずれかに記載の焦点検出装置を備えたことを特徴とする。
（８）請求項８のイメージセンサシステムは、被写体からの光束を受光して画像信号を出力するイメージセンサと、イメージセンサの出力に対する増幅率の履歴に基づいて今回の増幅率を設定する増幅率設定手段と、イメージセンサからの画像信号を、増幅率設定手段で設定された増幅率で増幅する増幅手段と、イメージセンサの駆動モードを切換える駆動モード切換手段とを備え、増幅率設定手段は、駆動モード切換手段によりイメージセンサの駆動モードが切換えられたとき、増幅率の履歴をリセットして今回の増幅率を設定することを特徴とする。
（９）請求項９の発明は、請求項８に記載のイメージセンサシステムにおいて、増幅率設定手段は、履歴をリセットして今回の増幅率を設定するとき、前回の増幅率よりも低い増幅率に設定することを特徴とする。